(57)【要約】      （修正有）【課題】回転盤の回転をスムーズに行うことが可能な回転台を提供する。【解決手段】物品を置くために使われ観賞者が自発的に物品の方向を回転させることが可能な回転台１は、中心にボルト孔１２を有する台座１０、台座１０のボルト孔１２に挿通可能なピボットボルト１３、ボルト孔１２に対向する位置に形成されボルト孔１２に挿通されるピボットボルト１３をねじ込み可能なピン付きねじ穴２１を有し台座１０と係合可能な回転盤２０、複数のローラー収容部、及び、複数のローラー２３を備える。複数のローラー収容部は、回転盤２０に設けられる。複数のローラー２３は、複数のローラー収容部のそれぞれに収容されている。複数のローラー２３は、台座１０と回転盤２０とがピボットボルト１３を回転軸として相対回転可能に設けられるとき台座１０と回転盤２０との間に挟まれつつ回動可能な状態で設けられる。【選択図】図１
0003209730.tif 000002
【実用新案登録請求の範囲】
【請求項１】
中心にボルト孔を有する台座と、
前記台座のボルト孔に挿通可能なピボットボルトと、
前記ボルト孔に対向する位置に形成され前記ボルト孔に挿通されるピボットボルトをねじ込み可能なピン付きねじ穴を有し、前記台座と係合可能な回転盤と、
前記台座または前記回転盤のいずれか一方に設けられる複数のローラー収容部と、
複数の前記ローラー収容部のそれぞれに収容され、前記台座と前記回転盤とが前記ピボットボルトを回転軸として相対回転可能に設けられるとき前記台座と前記回転盤との間に挟まれつつ回動可能な状態で設けられ、前記回転盤が前記ピボットボルトを回転軸として回転可能とする複数のローラーと、
を備える回転台。
【請求項２】
複数の前記ローラー収容部は、前記台座または前記回転盤のいずれか一方と一体に成形され、前記台座の前記回転側または前記回転盤の台座側のいずれか一方に設けられる請求項１に記載の回転台。
【請求項３】
複数の前記ローラー収容部は、前記回転盤の底面に前記回転盤と一体成形されている請求項１に記載の回転台。
【請求項４】
複数の前記ローラー収容部は、前記台座の上面に前記台座と一体成形されている請求項１に記載の回転台。
【請求項５】
前記台座は、上面にサイズおよび深さが前記回転盤と一致する一つの円形凹溝を有し、
当該円形凹溝は、前記回転盤を前記回転軸に軸着セット可能である請求項１に記載の回転台。
【請求項６】
前記台座は、外径が前記回転盤の内径と一致し、前記回転盤を前記回転軸に軸着セット可能である請求項１に記載の回転台。
【請求項７】
前記回転盤の上面に設けられる摩擦防止布をさらに備える請求項１に記載の回転台。
【請求項８】
前記台座の上面には、模様が設けられている請求項１に記載の回転台。
【請求項９】
前記台座の底部に結合されている滑り止めパッドをさらに備える請求項１に記載の回転台。
【考案の詳細な説明】
【技術分野】
【０００１】
本考案は、主に物品を置くために使われ、観賞者は自発的に物品の方向を回転させることが可能な回転台に関する。
【背景技術】
【０００２】
従来、物品を置くために使われ、観賞者が自発的に回転させるように物品の方向を変えることが可能な回転台が知られている。回転台は、主に一つの台座が設置され、台座の上面に一つの円形の回転盤を収容する凹溝が凹設されている。凹溝内には、一つのボールプレートが設置され、ボールプレートに予め設置されたボール溝でボールが収容されている。ボールプレートは、台座と回転盤との間に挟まれるよう設けられ、一つのピボットボルトによって台座の底部から貫通するように台座、ボールプレート、及び、回転盤が軸着されている。ピボットボルトによる貫通軸着を利用することによって、回転盤がピボットボルトを軸として回転することができる。また、ボールプレートのボールの特性に合わせて、回転盤の回転がもっとスムーズになるようにすれば、回転盤に置かれている物品の方向を回転させやすくなり、物品の展示観賞に寄与することになる。
【先行技術文献】
【特許文献】
【０００３】
【特許文献１】実公平０７−０３７５３５号公報
【考案の概要】
【考案が解決しようとする課題】
【０００４】
ただし、このような回転台では、回転盤をスムーズに回転するボールは、別途製作したボールプレートに設置されている。また、ボールは、台座及び回転盤に接触しているため、ボール自身の回動特性によって回転盤の回転時における回動の潤滑の効果が形成されることから、事実上、ボールがボールプレートに位置づけされている。また、ピボットボルトによる貫通軸着によりその組み立ての関係が維持されるため、その組み立ての関係に偏差があったりピボットボルトが緩んだりした場合、そのボールプレートのボールは回転盤と理想的な接触関係を維持することができないおそれがあり、相対的に回転盤の回転のスムーズさと安定性に影響を及ぼす。
【０００５】
また、回転盤に置かれている物品の重量が比較的重い場合、その重量は直接回転盤を通じてボール及びボールプレートに印加される。このため、ボールがスムーズに回転できなくなるおそれがあり、回転盤の回転もスムーズでなくなる。また、従来の回転台は、別途製造したボールプレートとボールとが組み合わされて設置されるため、台座と回転盤の回転インターフェースとし構造が比較的複雑である。
【０００６】
本考案は、上述の問題に鑑みてなされたものであり、その目的は、回転盤の回転をスムーズに行うことが可能な回転台を提供することにある。
【課題を解決するための手段】
【０００７】
本考案は、回転台であって、回転盤の回転をもっとスムーズにするため、選択的に回転盤の底部または台座の下に直接ローラーが設置されているローラー収容部を一体成形し、ローラーは回転盤または台座に設けられ、もう一方と接触することができる。これにより、回転盤は回転するとき、ローラーが限定的な位置のもとで回動することによってスムーズに回転できる。
【０００８】
さらに具体的には、本考案は、主に所定形態の台座及びそれと係合する一つの回転盤が設置されている。台座の中心に一つのボルト孔が製造設置されおり、回転盤底部の対向する位置に一つのピン付きねじ穴が製造設置されている。一つのピボットボルトが台座のボルト孔を貫通し、回転盤のピン付きねじ穴にねじ込むことにより、台座及び回転盤の回転軸への軸着がなされる。台座と回転盤との間に複数のローラーが狭持されており、回転盤はピボットボルトを軸とする回転効果があることが付与される。また、回転台は、選択的にその台座の上面または回転盤の底面のいずれか一つに複数のローラー収容部が敷設されているように一体成形され、すべてのローラー収容部にはそれぞれ一つのローラーが収容されている。ローラーは、位置が限定されている自由回動の形態となっており、回転盤の回転のスムーズさを向上することができる。
【０００９】
また、本考案の回転台は、中心にボルト孔を有する台座、前記台座のボルト孔に挿通可能なピボットボルト、回転板、複数のローラー収容部、及び、複数のローラーを備える。
回転板は、ボルト孔に対向する位置に形成されボルト孔に挿通されるピボットボルトがねじ込まれるピン付きねじ穴を有し、台座と係合可能である。
ローラー収容部は、台座または回転盤のいずれか一方に設けられる。
複数のローラーは、複数のローラー収容部のそれぞれに収容されている。複数のローラーは、台座と回転盤とがピボットボルトを回転軸として相対回転可能に設けられるとき台座と回転盤との間に挟まれつつ回動可能な状態で設けられ、回転盤が前記ピボットボルトを回転軸として回転可能とする。
【００１０】
本考案の回転台は、その構造の部品設計により、ローラーが台座と回転盤との間に接触できるように位置が限定されている。これにより、回転盤の回転のスムーズさを大幅に引き上げ、回転盤に置かれている物品の重量が比較的重い場合でも、その回転のスムーズさを維持することができる。したがって、全方位の展示観賞の効果を持つことができる。
【図面の簡単な説明】
【００１１】
【図１】本考案の第一実施形態による回転台の構造分解模式図。
【図１Ａ】本考案の第一実施形態による回転台が備える回転盤の構造模式図。
【図２】本考案の第一実施形態による回転台の構造模式図。
【図３】本考案の第一実施形態による回転台の構造関係模式図。
【図４】本考案の第一実施形態による回転台の実施状態参考図。
【図５】本考案の第二実施形態による回転台の構造分解模式図。
【図６】本考案の第二実施形態による回転台の構造関係模式図。
【図７】本考案の第二実施形態による回転台の実施状態参考図。
【考案を実施するための形態】
【００１２】
以下、本考案の複数の実施形態について図面に基づいて説明する。
【００１３】
（第一実施形態）
図１〜４を示しながら、本考案の第一実施形態を説明する。
図１〜４に示すとおり、第一実施形態による回転台１は、所定形態の一つの台座１０を備える。台座１０の上には、回転盤２０がセット可能な一つの円形凹溝１１が凹設されている。円形凹溝１１の中心には、一つのピボットボルト１３が穿設するボルト孔１２が設けられている。台座１０の底部には、当該台座１０に結合されている滑り止めパッド１４及びパッド１５が設けられている。
また、台座１０の上面の所定位置には、模様１６を設計することが可能である。
【００１４】
回転盤２０は、サイズが台座１０の円形凹溝１１とほぼ同じ、または、円形凹溝１１に比べやや小さい。これにより、回転盤２０は、台座１０の円形凹溝１１に設けることが可能である。回転盤２０の上面には、綿毛布または滑り止めパッドから形成される一つの摩擦防止布２４が設けられている。
【００１５】
また、回転盤２０の底部の中心には、一つのピン付きねじ穴２１が設けられている。一つのピン付きねじ穴２１には、台座１０のボルト孔１２に穿設されたピボットボルト１３がねじ込まれる。これにより、回転盤２０の台座１０の回転軸への軸着を完成させることが可能である。また、回転盤２０は、ピボットボルト１３を回転軸として回転する機能を持つことができる。
【００１６】
複数のローラー収容部２２は、回転盤２０の下に放射状に配置され、回転盤２０と一体成形されている。ローラー収容部２２のそれぞれにはローラー２３が埋設されている。
【００１７】
複数のローラー２３は、回転盤２０を台座１０の回転軸に軸着すると、台座１０と回転盤２０との間に挟まれるよう設けられる。このとき、ローラー２３は、台座１０と回転盤２０との間に台座１０と回転盤２０とが接触しないように間隙を保つ。
【００１８】
第一実施形態による回転台１では、複数のローラー２３を回転盤２０の回転インターフェースとして利用することができる。そのうえ、ローラー２３は、自由回動の特性を有する一方、回転盤２０の底部のローラー収容部２２に対して位置が限定されるため、回転盤２０が回転するとき、複数のローラー２３が同時に回転するように誘導される。これにより、第一実施形態による回転台１は、回転盤の回転をスムーズに行うことができる。
【００１９】
また、回転盤２０に置かれる物品の重量が比較的重い場合でも、ローラー２３は、回転盤２０のローラー収容部２２に位置が限定され、かつ、同時に連動する。これにより、第一実施形態による回転台１は、従来の同類の物品の存在する問題及び欠点を解決し、回転盤２０に置かれる物品の重量が比較的重い場合でも回転盤２０をスムーズに回転することができる。
【００２０】
（第二実施形態）
次に図５〜７を参考しながら、本考案の第二実施形態を説明する。
【００２１】
図に示すように、第二実施形態は、第一実施形態に比べ簡易型の回転台である。
第二実施形態による回転台２は、一つの台座３０と一つの回転盤４０とを備える。台座３０と回転盤４０とは、回転軸への軸着によって回転可能に相対回転可能に設けられる。
【００２２】
台座３０は、外径が回転盤４０の内径と一致、または、回転盤４０の内径に比べやや小さい。台座３０の中心には、一つのボルト孔３１が設けられている。
【００２３】
回転盤４０は、底部に台座３０のボルト孔３１に対向するよう一つのピン付きねじ穴４１が設けられている。ピボットボルト３２が台座３０のボルト孔３１を通して回転盤４０のピン付きねじ穴４１にねじ込まれると、両者の回転軸への軸着を完成する。回転盤４０の上に必要な場合にも摩擦防止布４２を敷設してもよい。
【００２４】
複数のローラー収容部３３は、台座３０の上に放射状に配置され、台座３０と一体成形されている。ローラー収容部３３のそれぞれにはローラー３４が埋設されている。
ローラー３４は、台座３０と回転盤４０との間に挟まれるよう設けられる。
【００２５】
第二実施形態による回転台２では、回転盤４０が回転するとき、ローラー３４の回動作用によって回転盤４０をスムーズに回転することができる。
【００２６】
即ち、以上の説明によると、本考案は、回転台の構造設計においては、ローラーを収容することが可能なローラー収容部を選択的に回転盤の底面または台座の上面に一体成形することによって、台座と回転盤の回転軸への軸着をした後に、複数のローラーを台座と回転盤との間における接触インターフェースとしている。また、複数のローラーは、台座と回転盤との間において台座及び回転盤に対する位置が限定されつつ自由に回動できるため、その回転盤の回転のスムーズさを大幅に向上することができる。特に、回転盤に置かれている物品の重量による圧力が大きい場合でも、回転盤をスムーズに回転することができる。したがって、従来の同類の製品にある問題と欠点を徹底的に解決し、全体的に言えば、確かに非常に良い産業上の利用可能性と実用の価値を持っていることが分かる。
【符号の説明】
【００２７】
１０：台座
１１：円形凹溝
１２：ボルト孔
１３：ピボットボルト
１４：滑り止めパッド
１５：パッド
１６：模様
２０：回転盤
２１：ピン付きねじ穴
２２：ローラー収容部
２３：ローラー
２４：摩擦防止布
３０：台座
３１：ボルト孔
３２：ピボットボルト
３３：ローラー収容部
３４：ローラー
４０：回転盤
４１：ピン付きねじ穴
４２：摩擦防止布
【図１】
0003209730.tif 000003
【図１Ａ】
0003209730.tif 000004
【図２】
0003209730.tif 000005
【図３】
0003209730.tif 000006
【図４】
0003209730.tif 000007
【図５】
0003209730.tif 000008
【図６】
0003209730.tif 000009
【図７】
0003209730.tif 000010